(57)【要約】【課題】照明装置に対する位置に応じてユーザが認識する色を変更可能にすること。【解決手段】実施形態の照明装置は、光源と、配光部材と、着色部とを備える。枠体は、光源の光取出方向側に配置される筒状である。着色部は、配光部材の内周面に沿って設けられ、所定の波長の光を反射する色に着色される。【選択図】図１０
2019067605.tif 000002
【特許請求の範囲】
【請求項１】
光源と、
前記光源の光取出方向側に配置される筒状の配光部材と、
前記配光部材の内周面に沿って設けられ、所定の波長の光を反射する色に着色された着色部と、
を備えた照明装置。
【請求項２】
前記着色部は、前記内周面に沿って配置されるシート部材である請求項１に記載の照明装置。
【請求項３】
前記着色部は、前記内周面に所定の材料を塗布することにより形成される請求項１に記載の照明装置。
【請求項４】
前記配光部材の内周面は、光を吸収する面であり、
前記着色部は、前記配光部材の前記内周面に重ねて設けられる請求項１〜３のいずれか１項に記載の照明装置。
【請求項５】
前記配光部材の内周面は、光を反射する面であり、
前記着色部は、前記配光部材の前記内周面に重ねて設けられる請求項１〜３のいずれか１項に記載の照明装置。
【請求項６】
前記光源の裏面側に配置されるヒートシンクと、
前記ヒートシンクに固定され、前記照明装置の取り付けに用いられる取付部材と、
をさらに備える請求項１〜５のいずれか１項に記載の照明装置。
【請求項７】
前記取付部材は、巻ばねである請求項６に記載の照明装置。
【請求項８】
一端部に前記光源が臨む開口が形成され、前記一端部側に前記配光部材が配置され、他端部側にヒートシンクが配置される枠体と、
前記枠体の外周壁から突出する突起であって、前記枠体の外周壁に重ねて配置され、前記光源の光取出方向側に伸びるベース部材を係止する係止部と、
をさらに備える請求項１〜７のいずれか１項に記載の照明装置。
【請求項９】
前記枠体は、前記光源の前記光取出方向側に臨む反射面が形成される請求項８に記載の照明装置。
【請求項１０】
前記係止部は、前記枠体を挿入可能な筒状の前記ベース部材の一端部に設けられた切欠き溝の底部から周方向の一方向側へ伸びる延伸部内に配置されることにより、前記ベース部材を前記ベース部材の軸方向への移動を規制する請求項８または請求項９に記載の照明装置。
【請求項１１】
前記係止部は、前記枠体の外周に沿って複数設けられ、各係止部が、前記ベース部材に設けられた複数の切欠き溝の各々の前記延伸部内に配置されることにより、前記ベース部材を前記ベース部材の軸方向への移動を規制する請求項１０に記載の照明装置。
【請求項１２】
前記光源と前記配光部材との間に配置されるレンズ、
をさらに備え、
前記配光部材は、前記レンズを支持するレンズホルダである請求項１〜１１のいずれか１項に記載の照明装置。
【発明の詳細な説明】
【技術分野】
【０００１】
本発明は、照明装置に関する。
【背景技術】
【０００２】
従来から、放射する色が変化する種々の照明装置が提供されている。例えば、ＬＥＤ（Light  Emitting  Diode）素子の頭部に色温度変更機能を有する層を具えることにより、二次光源となる光拡散体（シェード等）の場所により色度が変化する照明装置が提供されている。この場合、例えば、ＬＥＤ光源を点灯すると、円錐形の光拡散体は下部から頂部に向かって色温度が暖色へと徐々に変化する白色光二次光源となる。
【先行技術文献】
【特許文献】
【０００３】
【特許文献１】特開２０１７−０９２０１３号公報
【発明の概要】
【発明が解決しようとする課題】
【０００４】
上記のような二次光源となる光拡散体を用いるような照明装置とは異なるダウンライトやピンホールライト等の照明装置においても、照明装置から放射される色を所望の色に変更可能であることが望まれている。しかしながら、上記の従来技術では、光拡散体の色が徐々に変化する構成であり、ユーザの位置に対して所望の色に変更可能にすることが難しい。
【０００５】
本発明は、上記に鑑みてなされたものであって、照明装置に対する位置に応じてユーザが認識する色を変更可能にすることができる照明装置を提供することを目的とする。
【課題を解決するための手段】
【０００６】
上述した課題を解決し、目的を達成するために、本発明の一態様に係る照明装置は、光源と、前記光源の光取出方向側に配置される筒状の配光部材と、前記配光部材の内周面に沿って設けられ、所定の波長の光を反射する色に着色された着色部と、を備える。
【発明の効果】
【０００７】
本発明の一態様によれば、照明装置に対する位置に応じてユーザが認識する色を変更可能にすることができる。
【図面の簡単な説明】
【０００８】
【図１】図１は、第１の実施形態に係る照明装置を示す斜視図である。
【図２】図２は、第１の実施形態に係る照明装置を示す斜視図である。
【図３】図３は、第１の実施形態に係る照明用ユニットを示す斜視図である。
【図４】図４は、第１の実施形態に係る照明装置の要部を示す平面図である。
【図５】図５は、第１の実施形態に係る照明装置の要部を示す斜視図である。
【図６】図６は、第１の実施形態に係る照明装置の要部を示す平面図である。
【図７】図７は、第１の実施形態に係る照明装置の要部を示す平面図である。
【図８】図８は、第１の実施形態に係る照明装置の要部を示す平面図である。
【図９】図９は、第１の実施形態に係るレンズホルダを示す斜視図である。
【図１０】図１０は、第１の実施形態に係る照明器具を示す断面図である。
【図１１】図１１は、第２の実施形態に係る照明装置を示す斜視図である。
【図１２】図１２は、第２の実施形態に係る照明装置を示す斜視図である。
【図１３】図１３は、第２の実施形態に係る照明装置の要部を示す斜視図である。
【図１４】図１４は、第２の実施形態に係る照明装置の要部を示す平面図である。
【図１５】図１５は、第２の実施形態に係る照明装置の要部を示す平面図である。
【図１６】図１６は、第２の実施形態に係る照明装置の要部を示す平面図である。
【図１７】図１７は、第２の実施形態に係るレンズホルダを示す斜視図である。
【図１８】図１８は、第２の実施形態に係る照明器具を示す断面図である。
【発明を実施するための形態】
【０００９】
以下の第１の実施形態においては、照明用ユニット２を用いたスポットライト（ピンホールライト）である照明装置１について図面を参照して説明する。なお、以下に説明する第１の実施形態に係る照明装置１により照明用ユニットの用途が限定されるものではない。照明用ユニットは、照明装置１に限らず、利用可能な照明装置であれば、目的に応じてどのような照明装置に用いられてもよい。また、図面は模式的なものであり、各要素の寸法の関係、各要素の比率などは、現実と異なる場合があることに留意する必要がある。図面の相互間においても、互いの寸法の関係や比率が異なる部分が含まれている場合がある。
【００１０】
（第１の実施形態）
まず、図１〜図３を用いて、照明装置１の構成の概要を説明する。図１及び図２は、第１の実施形態に係る照明装置を示す斜視図である。具体的には、図１は、照明装置１のヒートシンク２０の配置側から見た斜視図である。また、図２は、照明装置１の配光用ユニット３の配置側から見た斜視図である。また、図３は、第１の実施形態に係る照明用ユニット２を示す斜視図である。
【００１１】
照明装置１は、照明用ユニット２と、配光用ユニット３とを有する。照明用ユニット２は、枠体１０と、ヒートシンク２０と、光源としての光源部３０とを有する。また、配光用ユニット３は、配光用部材としてのベース部材４０と、レンズホルダ５０（図９参照）、レンズ部６０（図９参照）とを有する。
【００１２】
まず、照明用ユニット２の各構成について説明する。図３に示すように、枠体１０は、有底円筒状の基部１１と、基部１１の開口側の周端から突出する係止部１２とを有する。また、図１に示すように、ヒートシンク２０は、リブ部２０１と、リブ部２０１に連続する第１フィン部２１〜第４フィン部２４の４つのフィン部とを有する。ヒートシンク２０には、アルミニウム（アルミ）等の熱伝導率の高い金属材料が用いられる。
【００１３】
第１フィン部２１と第２フィン部２２とは、リブ部２０１を挟む位置に設けられる。また、第３フィン部２３と第４フィン部２４とは、リブ部２０１を挟む位置に設けられる。なお、第３フィン部２３と第４フィン部２４とには、取付部材２５が連結されるが詳細は後述する。
【００１４】
また、光源部３０は、一面に発光素子３１１が設置される基板３１と、基板３１を保持する保持部材３２とを有する。例えば、発光素子３１１は、ＬＥＤ（Light  Emitting  Diode）であり、光源部３０は、チップオンボード（ＣＯＢ：Chip  On  Board）等であってもよい。また、例えば、保持部材３２は、ＣＯＢホルダ等であってもよい。
【００１５】
枠体１０の基部１１の底部１１１は、中央部分が開口しており、底部１１１の開口部分に光源部３０が配置される。図３に示すように、基部１１の底部１１１には、発光素子３１１が設置される一面を基部１１の開口に向けて配置される。以下では、発光素子３１１から基部１１の開口に向かう方向を「光源部３０の光取出方向」とする場合がある。発光素子３１１は、可視光（以下、単に「光」とする場合がある）を出射する。
【００１６】
基部１１の底部１１１の外面側にヒートシンク２０が配置される。例えば、底部１１１の中央部分に重なる位置に、ヒートシンク２０のリブ部２０１が配置される。図３に示すように、第１フィン部２１の取付用フィン２１１がねじ部材２１２により、基部１１の取付部１１２に設けられた挿通孔にねじ止めさせる。また、図２に示すように、第２フィン部２２の取付用フィン２２１がねじ部材２２２により、基部１１の取付部１１２に設けられた挿通孔にねじ止めさせる。これにより、ヒートシンク２０は、枠体１０に取り付けられる。
【００１７】
また、光源部３０は、保持部材３２がねじ部材３２１（図６参照）により、リブ部２０１に設けられた挿通孔にねじ止めさせることにより、ヒートシンク２０に取り付けられる。これにより、光源部３０とヒートシンク２０とが熱的に接触する。このように、光源部３０の基板３１の裏面側に、ヒートシンク２０が設けられることにより、基板３１からの熱を裏面側のヒートシンク２０へ効率的に伝熱することができる。
【００１８】
基部１１には、開口に向かうにつれて径を大きくする傾斜面である反射面１３が形成される。このように、基部１１には、光取出方向側に臨む反射面１３が形成される。
【００１９】
係止部１２は、基部１１において反射面１３が形成される部分の外周壁に設けられる。例えば、基部１１の外周壁には、３つの係止部１２が、外周に沿って等間隔（例えば１２０°間隔）で設けられる。図３に示す例では、３つの係止部１２が、基部１１において反射面１３が形成される部分の外周壁に設けられる。
【００２０】
また、基部１１の開口側の外周端には、径方向へ延びる載置部１２１が設けられる。例えば、基部１１の外周壁には、開口側の外周端に沿って全周に亘って設けられる。
【００２１】
また、基部１１の底部１１１側の外周には、回転規制部１４が設けられる。回転規制部１４は、ねじ止めに用いられる挿通孔１４０を有する。例えば、基部１１の外周壁には、３つの回転規制部１４が、開口側の外周端に沿って等間隔（例えば１２０°間隔）で設けられる。
【００２２】
ここで、ヒートシンク２０への取付部材２５の連結について説明する。図３に示すように、ヒートシンク２０の第３フィン部２３と第４フィン部２４との各々には、取付部材２５−１、２５−２が連結される。具体的には、第３フィン部２３には、取付部材２５−１が連結され、第４フィン部２４には、取付部材２５−２が連結される。なお、取付部材２５−１、２５−２を区別しない場合、取付部材２５と記載する。
【００２３】
図４を用いて、取付部材２５の構成及び取付部材２５のヒートシンク２０への取り付け（固定）について説明する。図４は、第１の実施形態に係る照明装置の要部を示す平面図である。具体的には、図４は、ヒートシンク２０の第３フィン部２３と取付部材２５−１との連結部分を示す図である。
【００２４】
取付部材２５は、ばね部２６と軸支部２７とを有する。ばね部２６は、弾性材料等により形成される。照明装置１におけるばね部２６は、照明装置１の設置（取り付け）に用いられる巻ばねである。ばね部２６は、間隔をあけて略平行に延びる一対のアーム部２６１と、各アーム部２６１の一端に連続する一対のコイル部２６２と、各アーム部２６１の他端に連続する支持部２６３とを有する。また、軸支部２７は、円筒状の基部２７１と、基部２７１の両端部から基部２７１の軸方向に延びる一対の延伸部２７２とを有する。図４に示すように、軸支部２７は、基部２７１の径がコイル部２６２の内径よりも大きく、延伸部２７２の径がコイル部２６２の内径よりも小さく形成される。そして、軸支部２７の基部２７１は、ばね部２６の一対のコイル部２６２間に配置され、軸支部２７の一対の延伸部２７２は、各々対応するコイル部２６２内に挿通される。例えば、ばね部２６に対して一対のコイル部２６２の距離が離れる方向に力を加えることにより、一対のコイル部２６２の間隔を広げ、一対のコイル部２６２間に軸支部２７を配置し、ばね部２６に加えた力を解放することにより、一対の延伸部２７２が各々対応するコイル部２６２内に挿通されてもよい。
【００２５】
また、軸支部２７は、基部２７１及び一通の延伸部２７２に形成される貫通孔（図示省略）に挿通される軸棒２７３を有する。軸棒２７３の先端部は、延伸部２７２の端部から突出する。そして、軸棒２７３の先端部が第３フィン部２３の一対の支持フィン２３１の各々に設けられた挿通孔（図示省略）に挿通されることにより、取付部材２５−１は、ヒートシンク２０に連結される。また、支持フィン２３１から突出した軸棒２７３の先端部には、Ｃリング２７４が取り付けられており、軸棒２７３は、Ｃリング２７４により、基部２７１及び一通の延伸部２７２の貫通孔から抜けることが抑制される。
【００２６】
また、ばね部２６は、コイル部２６２の先端部２６４が、第３フィン部２３に設けられた規制用孔（挿通孔）に挿通されることにより、取付部材２５−１の軸支部２７を中心とした回転が規制される。また、第３フィン部２３は、一対の支持フィン２３１の間に配置用フィン２３２を有する。例えば、第３フィン部２３は、２つの配置用フィン２３２を有する。図１に示すように、配置用フィン２３２は、一対の支持フィン２３１の間に取付部材２５−１が配置可能になるように、形成される。例えば、配置用フィン２３２は、一対の支持フィン２３１の間に取付部材２５−１が配置可能になるように、一部が切り欠かれて形成される。
【００２７】
また、第４フィン部２４においても、第３フィン部２３と同様に取付部材２５が連結される。図２に示すように、取付部材２５−２における軸棒２７３の先端部が第４フィン部２４の一対の支持フィン２４１の各々に設けられた挿通孔（図示省略）に挿通されることにより、取付部材２５−２は、ヒートシンク２０に連結される。また、支持フィン２４１から突出した軸棒２７３の先端部には、Ｃリング２７４が取り付けられており、軸棒２７３は、Ｃリング２７４により、基部２７１及び一対の延伸部２７２の貫通孔から抜けることが抑制される。
【００２８】
また、ばね部２６は、コイル部２６２の先端部２６４が、第４フィン部２４に設けられた規制用孔に挿通されることにより、取付部材２５−２の軸支部２７を中心とした回転が規制される。また、第４フィン部２４は、一対の支持フィン２４１の間に配置用フィン２４２を有する。例えば、第４フィン部２４は、２つの配置用フィン２４２を有する。図２に示すように、配置用フィン２４２は、一対の支持フィン２４１の間に取付部材２５−２が配置可能になるように、形成される。例えば、配置用フィン２３２は、一対の支持フィン２３１の間に取付部材２５−２が配置可能になるように、一部が切り欠かれて形成される。
【００２９】
このように、取付部材２５−１及び取付部材２５−２は、第３フィン部２３及び第４フィン部２４の各々に連結されることにより、ヒートシンク２０のリブ部２０１を挟む位置に設けられる。すなわち、照明装置１においては、取付部材２５がアルミ等の金属材料により形成されたヒートシンク２０に連結されることにより、取付部材２５の取り付けの強度を向上させることができる。例えば、照明装置１においては、ベース部材４０等の照明装置１におけるヒートシンク２０以外の他の部材に取付部材２５が取り付けられる場合よりも、取付部材２５の取り付けの強度を向上させることができる。なお、取付部材２５−１及び取付部材２５−２による照明装置１の設置についての詳細は後述する。
【００３０】
次に、図１及び図２に戻って、配光用ユニット３の各構成について説明する。図１に示すように、ベース部材４０は、円筒状に形成される。ここで、ベース部材４０の内径は、枠体１０の基部１１において載置部１２１を含む部分の外径よりも大きく、枠体１０の基部１１において係止部１２を含む部分の外径よりも小さいものとする。また、ベース部材４０の軸方向の一端部（以下、単に「ベース部材４０の一端部」とする場合がある）には、切欠き溝４１が設けられる。
【００３１】
また、ベース部材４０の軸方向の他端部には、他端部より径が大きく形成され、他端部覆うカバー部４５が設けられる。カバー部４５は、円板状に形成され、中央に開口部４５１が形成される。これにより、光源部３０からの光は、カバー部４５の開口部４５１から照明装置１外へ放射される。
【００３２】
ここから、図５及び図６を用いて、照明用ユニット２と配光用ユニット３との取り付けについて説明する。図５は、第１の実施形態に係る照明装置の要部を示す斜視図である。具体的には、図５は、係止部１２と切欠き溝４１との連結部分を示す図である。図６は、第１の実施形態に係る照明装置の要部を示す平面図である。
【００３３】
切欠き溝４１は、底部４１１と、底部４１１から周方向の一方向側へ延びる延伸部４１２とを有する。図６に示す例では、切欠き溝４１は、底部４１１から時計回りの方向側へ延びる延伸部４１２を有する。以下では、図６中の時計回りの方向を「一方向」とする。切欠き溝４１の底部４１１の幅は、係止部１２の周方向の幅よりも大きく、係止部１２が挿通可能であるものとする。また、切欠き溝４１の延伸部４１２の高さは、係止部１２の枠体１０の軸方向の高さよりも大きく、係止部１２が挿通可能であるものとする。例えば、ベース部材４０の外周壁には、３つの切欠き溝４１が、軸方向の一端側の外周端に沿って等間隔（例えば１２０°間隔）で設けられる。図６に示す例では、３つの切欠き溝４１が、枠体１０の３つの係止部１２の各々に対応する位置に設けられる。
【００３４】
例えば、ベース部材４０内には、枠体１０が開口側から軸を揃えて挿入される。具体的には、ベース部材４０内には、３つの切欠き溝４１の位置に３つの係止部１２の各々を重ねて、枠体１０が開口側から軸を揃えて挿入される。また、枠体１０は、各係止部１２が対応する切欠き溝４１の底部４１１付近に到達するまでベース部材４０内に挿入された状態において、一方向へ回転される。これにより、枠体１０の各係止部１２が対応する切欠き溝４１の延伸部４１２内に配置される。このように、係止部１２が切欠き溝４１の延伸部４１２内に配置されることにより、ベース部材４０を枠体１０に対してベース部材４０の軸方向への移動を規制することができる。なお、照明装置１は、切欠き溝４１の外周端付近に形成されるテーパ部４１３や、延伸部４１２に形成されるテーパ部４１４（図２参照）により、係止部１２が切欠き溝４１内に案内され、係止部１２が延伸部４１２内に配置されやすくすることができる。以下では、係止部１２が切欠き溝４１の延伸部４１２内に配置された状態における枠体１０の位置を「枠体１０の固定位置」とする場合がある。
【００３５】
枠体１０の固定位置において、ベース部材４０には、３つの回転規制部１４の挿通孔１４０に各々対応する位置に３つの挿通孔（図示省略）が設けられる。すなわち、枠体１０の固定位置においては、ベース部材４０の挿通孔と回転規制部１４の挿通孔１４０とが重なる。そして、ねじ部材１４１がベース部材４０の挿通孔と回転規制部１４の挿通孔１４０に螺合と挿通されることにより、枠体１０にベース部材４０がねじ止めされ、取り付けられる。これにより、ベース部材４０と枠体１０とが連結される。また、ベース部材４０が枠体１０に対してベース部材４０の軸を中心とする回転が規制される。これにより、照明装置１は、枠体１０の固定位置からさらに回転する方向へのベース部材４０の回転を抑制することができ、係止部１２に係る負荷を抑制することができる。
【００３６】
また、枠体１０にベース部材４０がねじ止めされ、取り付けられることにより、一方向へのベース部材４０の回転を規制する。これにより、照明装置１は、枠体１０の固定位置から回転前の位置に戻る方向へのベース部材４０の回転を抑制することができる。したがって、照明装置１は、枠体１０の係止部１２が切欠き溝４１から外れることを抑制できる。
【００３７】
このように、照明装置１は、ねじ部材１４１により、枠体１０にベース部材４０がねじ止めされ、取り付けられる。これにより、ベース部材４０は、ねじ部材１４１を取り外すことにより、枠体１０に対して回転可能になる。したがって、照明装置１の設置者等は、ねじ部材１４１を取り外し、ベース部材４０を枠体１０に対して一方向に回転させることにより、係止部１２と切欠き溝４１との連結を解除することができる。したがって、照明装置１の設置者等は、照明用ユニット２に種々の配光用ユニットを取り付け可能となる。
【００３８】
ここから、図７〜図９を用いて、配光用ユニット３のレンズホルダ５０等について説明する。図７は、第１の実施形態に係る照明装置の要部を示す平面図である。具体的には、図７は、照明用ユニット２を除いた照明装置１、すなわち配光用ユニット３を示す平面図である。図８は、第１の実施形態に係る照明装置の要部を示す平面図である。具体的には、図８は、レンズ６１を除いた配光用ユニット３を示す平面図である。図９は、第１の実施形態に係るレンズホルダを示す斜視図である。
【００３９】
図７に示すように、ベース部材４０の一端部には、レンズ部６０が設けられる。レンズ部６０は、レンズ６１とレンズシェード６２とを有する。図８に示すように、ベース部材４０の一端部には、レンズシェード６２が配置される。レンズシェード６２は、アルミ等の金属材料により形成される。レンズシェード６２は、遮光版であってもよい。レンズシェード６２は、中央に開口部６２１を有する。
【００４０】
また、レンズシェード６２の外周は、ベース部材４０の一端部の形状に合わせた形状に形成される。例えば、ベース部材４０の一端部から内部に突出する突出部４５２の形状に合わせて、レンズシェード６２の外周には、凹部６２２が設けられる。レンズシェード６２は、凹部６２２にベース部材４０の突出部４５２が嵌ることにより、ベース部材４０に対する移動が規制される。また、レンズシェード６２の外周において、凹部６２２以外の箇所も、ベース部材４０の一端部の形状に合わせた形状に形成されており、各箇所において、レンズシェード６２がベース部材４０に対して回転方向に当接することにより、レンズシェード６２のベース部材４０に対する移動が規制される。
【００４１】
また、図７に示すように、ベース部材４０の一端部には、レンズシェード６２に重ねてレンズ６１が配置される。すなわち、照明装置１においては、光源部３０側からレンズ６１、レンズシェード６２の順に重ねて配置される。このように、レンズ６１に重ねてレンズシェード６２を配置することにより、レンズ６１を保護し、レンズシェード６２の開口部６２１以外の箇所から照明装置１外へ光が漏れることを抑制できる。
【００４２】
また、レンズ６１の外周は、ベース部材４０の一端部の形状に合わせた形状に形成される。例えば、ベース部材４０の一端部から内部に突出する突出部４５２の形状に合わせて、レンズ６１の外周には、凹部６１１が設けられる。レンズ６１は、凹部６１１にベース部材４０の突出部４５２が嵌ることにより、ベース部材４０に対する移動が規制される。また、レンズ６１の外周には、径方向に延びる２つの規制片６１２が形成されており、２つの規制片６１２がベース部材４０の一端部と当接することにより、レンズ６１のベース部材４０に対する移動が規制される。
【００４３】
また、図９に示すように、レンズ部６０に重ねてレンズホルダ５０が設けられる。具体的には、照明装置１においては、光源部３０側からレンズ６１、レンズシェード６２、レンズホルダ５０の順に重ねて配置される。このように、レンズホルダ５０は、レンズ６１を支持する。例えば、レンズホルダ５０は、ポリカーボネート等の樹脂材料により形成されてもよい。
【００４４】
レンズホルダ５０は、ベース部材４０内に配置される。レンズホルダ５０は、筒状の配光部材である。レンズホルダ５０は、円筒状に形成された基部５１の一端部５２をベース部材４０のカバー部４５に沿わせて配置される。また、レンズホルダ５０は、基部５１の他端部をレンズシェード６２の開口部６２１の周端に沿わせて配置される。
【００４５】
基部５１には、内周面に沿って設けられ、所定の波長の光を反射する色に着色された着色部５３が設けられる。このように、照明装置１においては、着色部５３が、レンズホルダ５０、すなわち配光部材の内周面に重ねて設けられる。なお、着色部５３が反射する光は、可視光であればどのような波長の光であってもよい。例えば、着色部５３は、赤や黄色や緑や青等の種々の光を反射する色に着色されてもよい。例えば、基部５１は、光を吸収する色、すなわち黒色の部材により形成されてもよい。
【００４６】
例えば、着色部５３は、基部５１の内周面に沿って配置されるシート部材であってもよい。例えば、着色部５３は、所望の色に着色された紙やフィルム等の種々の部材であってもよい。例えば、着色部５３は、基部５１の内周面に沿う形状（円筒状）に丸められた紙やフィルム等のシート状の部材であってもよい。また、例えば、着色部５３は、基部５１の内周面に所定の材料を塗布することにより形成されてもよい。この場合、着色部５３は、所望の色の塗料が塗布されることにより、所定の波長の光を反射する色に着色された内周面であってもよい。
【００４７】
ここで、図１０を用いて、照明装置１の設置（取り付け）及び着色部５３によりユーザにより視認される色の態様について説明する。図１０は、第１の実施形態に係る照明器具を示す断面図である。なお、図１０に示す照明装置１の断面図は、照明装置１の設置及び照明装置１の照射範囲等を図示するための概略図である。
【００４８】
図１０の例では、着色部５３は、所望の色の塗料が塗布されることにより、所定の波長の光を反射する色に着色された内周面である場合を示す。また、図１０の例では、光源部３０は、白色光を放射する場合を示す。また、図１０の例では、光源部３０（発光素子３１１）が臨む側を下方として説明する。すなわち、照明装置１のベース部材４０側を下方とし、ヒートシンク２０側を上方として説明する。
【００４９】
まず、照明装置１の設置について説明する。図１０の例では、照明装置１は、取付部材２５により天井ＣＬに設けられた埋込孔ＨＬに固定される。具体的には、照明装置１は、ベース部材４０が埋込孔ＨＬに挿通され、埋込孔ＨＬよりも外径が大きいカバー部４５が天井ＣＬに下方から当接することにより、上方への移動が規制される。例えば、照明装置１の設置者は、取付部材２５を押し狭めた状態でヒートシンク２０側から照明装置１を埋込孔ＨＬに挿通する。ヒートシンク２０が埋込孔ＨＬに挿通された後、天井ＣＬの裏側において、取付部材２５が自身の付勢により元の状態に広がり、取付部材２５が天井ＣＬに当接することにより、ベース部材４０が埋込孔ＨＬに嵌り、照明装置１が天井ＣＬに設置される。
【００５０】
このように、照明装置１は、ヒートシンク２０に連結された取付部材２５により、上方へ付勢されることにより、自重による下方への移動が規制される。具体的には、照明装置１は、取付部材２５におけるばね部２６の支持部２６３が天井ＣＬを下方に押圧することにより、上方へ付勢される。これにより、照明装置１は、天井ＣＬに設けられた埋込孔ＨＬに嵌り、天井ＣＬに設置される。また、照明装置１は、取付部材２５がヒートシンク２０に連結されることにより、取付部材２５が上下方向において埋込孔ＨＬの位置よりも上方に位置する。したがって、照明装置１は、取付部材２５がベース部材４０等に連結される場合に比べて、埋込孔ＨＬをベース部材４０のサイズ（外径）に合わせることができ、意匠性を向上させることができる。
【００５１】
ここで、従来の照明装置においては、取付部材が光源の臨む方向（光の光取出方向）側の部材に連結される場合が多い。例えば、従来の照明装置においては、取付部材がベース部材等に連結される場合が多い。このような場合、照明装置が設置される埋込孔等のサイズ（外径）を、取付部材の配置による制約により、ベース部材等の外径に合せることが難しい。そのため、従来の照明装置では、照明装置が設置される埋込孔等のサイズ（外径）が小さくすることが難しく、意匠性を向上させることが難しいといった課題がある。一方で、照明装置１は、上述したように、取付部材２５がヒートシンク２０に連結されることにより、埋込孔ＨＬをベース部材４０のサイズ（外径）に合わせることができ、意匠性を向上させることができる。また、従来の照明装置においては、取付部材が樹脂材料等により形成された部材（ベース部材等）に連結される場合が多い。そのため、従来の照明装置においては、樹脂材料等により形成された部材側の制約により、取付部材の取り付けの強度を向上させることが難しいという課題がある。一方で、照明装置１においては、取付部材２５がアルミ等の金属材料により形成されたヒートシンク２０に連結されることにより、取付部材２５の取り付けの強度を向上させることができる。
【００５２】
また、照明装置１において、光源部３０の発光素子３１１が出射した光は、枠体１０、レンズ部６０、及びベース部材４０内を通り、照明装置１外へ放射される。具体的には、発光素子３１１が出射した光や枠体１０の反射面１３により反射された光は、レンズ部６０のレンズ６１により配光制御され、ベース部材４０内に配置されたレンズホルダ５０内を通り、カバー部４５の開口部４５１から照明装置１外へ放射される。
【００５３】
図１０に示すように、照明装置１は、スポットライト（ピンホールライト）であり、カバー部４５の開口部４５１の径は、レンズホルダ５０の内径よりも小さく形成される。そのため、照明装置１は、照射範囲ＡＲ１１に示すように、照明装置１が設置された天井ＣＬの直下を照射するように配光制御される。
【００５４】
ここで、例えば、スポットライト（ピンホールライト）である従来の照明装置においては、レンズホルダ（配光部材）の内周面は可視光を吸収する色、すなわち黒色に着色されている。したがって、従来の照明装置においては、レンズホルダの内周面は可視光を吸収し、可視光を反射しない。そのため、従来の照明装置の照明範囲外からユーザが照明装置を見た場合、ユーザには従来の照明装置から放射される光が認識されない。このように、従来の照明装置は、レンズホルダの内周面は可視光を吸収するため、従来の照明装置の照明範囲外に位置するユーザには従来の照明装置が光を放射しているかが視認されない。また、従来の照明装置の照明範囲外、例えば斜め方向等から照明装置を見たユーザには、照明装置内が視認される。
【００５５】
一方で、照明装置１は、レンズホルダ５０の内周面に着色部５３が設けられている。そのため、照明装置１においては、レンズホルダ５０の内周面に設けられた着色部５３が所定の色の光を反射する。例えば、着色部５３が赤色である場合、照明装置１においては、レンズホルダ５０の着色部５３は赤色に対応する波長（例えば６２０−７５０ｎｍ等）の光を反射する。したがって、照明装置１の照明範囲ＡＲ１１外からユーザが照明装置１を見た場合、ユーザにはレンズホルダ５０の着色部５３により反射された赤色の光が認識される。図１０の例では、ユーザが視点ＶＰ１１から照明装置１を見た場合、ユーザには、レンズホルダ５０の着色部５３により反射された赤色の光が認識される。例えば、光源部３０から白色の光が出射され、ユーザが視点ＶＰ１１から照明装置１を見た場合、ユーザには、レンズホルダ５０の着色部５３により反射された赤色の光に光源部３０から出射された白色の光が混ざった色（例えばピンク色）が認識される。
【００５６】
このように、照明装置１は、レンズホルダ５０の内周面に設けられた着色部５３が所定の光を反射するため、照明装置１の照明範囲ＡＲ１１外に位置するユーザに、所望の光を視認させることができる。すなわち、照明装置１は、照明範囲ＡＲ１１には、光源部３０から出射される色（例えば白色光）を放射し、照明範囲ＡＲ１１外に位置するユーザには、所望の光が視認させるように、照明装置１外に光を放射する。これにより、照明範囲ＡＲ１１内に位置するユーザは、照明範囲ＡＲ１１を照射する光（例えば白色光）を視認し、照明範囲ＡＲ１１外に位置するユーザは、着色部５３により反射された所望の光を視認する。したがって、照明装置１は、照明装置１に対する位置に応じてユーザが認識する色を変更可能にすることができる。例えば、照明装置１は、視点ＶＰ１１等のユーザが照明装置１を視認する位置に応じて、ユーザが認識する色を変更可能にすることができる。なお、スポットライト（ピンホールライト）である照明装置１は、光源部３０からレンズ部６０を通ってカバー部４５の開口部４５１から照明装置１外へ放射される直接光を多く利用するが、レンズホルダ５０により反射された光も利用する。
【００５７】
（第２の実施形態）
なお、照明装置は、スポットライト（ピンホールライト）のような照明装置１に限らず、種々の照明装置であってもよい。この点について、図１１〜図１８を用いて説明する。以下の第２の実施形態においては、ダウンライトである照明装置４について図面を参照して説明する。なお、実施形態と同様の構成については、実施形態と同じ符号を付し、適宜説明を省略する。例えば、照明用ユニット２は、照明装置１において示した照明用ユニット２と同様であり、説明を省略する。このように、照明用ユニット２は、照明装置１や照明装置４等の種々の照明装置に利用可能である。
【００５８】
まず、図１１及び図１２を用いて、照明装置４の構成の概要を説明する。図１１及び図１２は、第２の実施形態に係る照明装置を示す斜視図である。具体的には、図１１は、照明装置４のヒートシンク２０の配置側から見た斜視図である。また、図１２は、照明装置４の配光用ユニット５の配置側から見た斜視図である。
【００５９】
照明装置４は、照明用ユニット２と、配光用ユニット５とを有する。照明用ユニット２は、枠体１０と、ヒートシンク２０と、光源部３０とを有する。なお、照明用ユニット２の構成については、第１の実施形態と同様であるため説明を省略する。また、配光用ユニット５は、配光用部材としてのベース部材７０と、レンズホルダ８０（図１７参照）、レンズ部９０（図１７参照）とを有する。
【００６０】
ここから、図１３〜図１７を用いて、配光用ユニット５の各構成について説明する。図１３は、第２の実施形態に係る照明装置の要部を示す斜視図である。具体的には、図１３は、係止部１２と切欠き溝７１との連結部分を示す図である。図１４は、第２の実施形態に係る照明装置の要部を示す平面図である。図１５は、第２の実施形態に係る照明装置の要部を示す平面図である。具体的には、図１５は、照明用ユニット２を除いた照明装置４、すなわち配光用ユニット５を示す平面図である。図１６は、第２の実施形態に係る照明装置の要部を示す平面図である。具体的には、図１６は、レンズ９１を除いた配光用ユニット５を示す平面図である。図１７は、第２の実施形態に係るレンズホルダを示す斜視図である。
【００６１】
なお、第１の実施形態と同様の構成については、第１の実施形態と同じ符号を付し、適宜説明を省略する。すなわち、第２の実施形態において、第１の実施形態中の構成と対応する構成については、適宜説明を省略し、第１の実施形態と異なる点について以下説明する。
【００６２】
例えば、第２の実施形態におけるベース部材７０中の各構成は、第１の実施形態におけるベース部材４０の各構成に対応する。このように、第２の実施形態におけるベース部材７０は、第１の実施形態におけるベース部材４０に対応するため、ベース部材７０において、ベース部材４０と同様の点については、第１の実施形態中の「４＊」を「７＊」と読み替えるものとする。なお、「＊」は、任意の文字列（数）であるものとする。例えば、切欠き溝７１は、第１の実施形態の切欠き溝４１に対応し、カバー部７５は、第１の実施形態のカバー部４５に対応し、開口部７５１は、第１の実施形態の開口部４５１に対応する。
【００６３】
また、例えば、第２の実施形態におけるレンズホルダ８０中の各構成は、第１の実施形態におけるレンズホルダ５０の各構成に対応する。このように、第２の実施形態におけるレンズホルダ８０は、第１の実施形態におけるレンズホルダ５０に対応するため、レンズホルダ８０において、レンズホルダ５０と同様の点については、第１の実施形態中の「５＊」を「８＊」と読み替えるものとする。例えば、基部８１は、第１の実施形態の基部５１に対応し、着色部８３は、第１の実施形態の着色部５３に対応する。例えば、基部８１には、内周面に沿って設けられ、所定の波長の光を反射する色に着色された着色部８３が設けられる。このように、照明装置４においては、着色部８３が、レンズホルダ８０、すなわち配光部材の内周面に重ねて設けられる。また、「着色部が、配光部材の内周面に重ねて設けられる」とは、配光部材の内周面に、配光部材とは別個の着色部を重ねて設ける構成と、配光部材の内周面自体を着色部とした構成との双方を包含する。
【００６４】
また、例えば、第２の実施形態におけるレンズ部９０中の各構成は、第１の実施形態におけるレンズ部６０の各構成に対応する。このように、第２の実施形態におけるレンズ部９０は、第１の実施形態におけるレンズ部６０に対応するため、レンズ部９０において、レンズ部６０と同様の点については、第１の実施形態中の「６＊」を「９＊」と読み替えるものとする。例えば、レンズ９１は、第１の実施形態のレンズ６１に対応し、レンズシェード９２は、第１の実施形態のレンズシェード６２に対応し、開口部９２１は、第１の実施形態の開口部６２１に対応する。
【００６５】
また、レンズシェード９２の外周は、ベース部材７０の一端部の形状に合わせた形状に形成される。例えば、ベース部材７０の一端部から内部に突出する突出部７５２の形状に合わせて、レンズシェード９２の外周には、凹部９２２が設けられる。図１６に示すように、ベース部材７０には２つの突出部７５２が設けられており、レンズシェード９２には、各突出部７５２に対応する２つの凹部９２２が設けられる。レンズシェード９２は、各凹部９２２にベース部材７０の対応する突出部７５２が嵌ることにより、ベース部材７０に対する移動が規制される。また、レンズシェード９２の外周において、凹部９２２以外の箇所も、ベース部材７０の一端部の形状に合わせた形状に形成されており、各箇所において、レンズシェード９２がベース部材７０に対して回転方向に当接することにより、レンズシェード９２のベース部材７０に対する移動が規制される。
【００６６】
また、レンズ９１の外周は、ベース部材７０の一端部の形状に合わせた形状に形成される。例えば、ベース部材７０の一端部から内部に突出する突出部７５２の形状に合わせて、レンズ９１の外周には、凹部９１１が設けられる。図１５に示すように、レンズ９１には、各突出部７５２に対応する２つの凹部９１１が設けられる。レンズ９１は、各凹部９１１にベース部材７０の対応する突出部７５２が嵌ることにより、ベース部材７０に対する移動が規制される。また、レンズ９１の外周には、径方向に延びる２つの規制片９１２が形成されており、２つの規制片９１２がベース部材７０の一端部と当接することにより、レンズ９１のベース部材７０に対する移動が規制される。
【００６７】
ここで、図１８を用いて、照明装置４の設置（取り付け）及び着色部８３によりユーザにより視認される色の態様について説明する。図１８は、第２の実施形態に係る照明器具を示す断面図である。なお、図１８に示す照明装置４の断面図は、照明装置４の設置及び照明装置４の照射範囲等を図示するための概略図である。
【００６８】
図１８の例では、着色部８３は、所望の色の塗料が塗布されることにより、所定の波長の光を反射する色に着色された内周面である場合を示す。具体的には、図１８の例では、基部８１の内周壁８１１の表面、すなわち内周面に所望の色の塗料が塗布されることにより、着色部８３が設けられる場合を示す。また、図１８の例では、光源部３０は、白色光を放射する場合を示す。また、図１８の例では、光源部３０（発光素子３１１）が臨む側を下方として説明する。すなわち、照明装置４のベース部材７０側を下方とし、ヒートシンク２０側を上方として説明する。
【００６９】
まず、照明装置４の設置について説明する。図１８の例では、照明装置４は、取付部材２５により天井ＣＬに設けられた埋込孔ＨＬに固定される。具体的には、照明装置４は、ベース部材７０が埋込孔ＨＬに挿通され、埋込孔ＨＬよりも外径が大きいカバー部７５が天井ＣＬに下方から当接することにより、上方への移動が規制される。例えば、照明装置４の設置者は、取付部材２５を押し狭めた状態でヒートシンク２０側から照明装置４を埋込孔ＨＬに挿通する。ヒートシンク２０が埋込孔ＨＬに挿通された後、天井ＣＬの裏側において、取付部材２５が自身の付勢により元の状態に広がり、取付部材２５が天井ＣＬに当接することにより、ベース部材７０が埋込孔ＨＬに嵌り、照明装置４が天井ＣＬに設置される。
【００７０】
このように、照明装置４は、ヒートシンク２０に連結された取付部材２５により、上方へ付勢されることにより、自重による下方への移動が規制される。具体的には、照明装置４は、取付部材２５におけるばね部２６の支持部２６３が天井ＣＬを下方に押圧することにより、上方へ付勢される。これにより、照明装置４は、天井ＣＬに設けられた埋込孔ＨＬに嵌り、天井ＣＬに設置される。また、照明装置４は、取付部材２５がヒートシンク２０に連結されることにより、取付部材２５が上下方向において埋込孔ＨＬの位置よりも上方に位置する。したがって、照明装置４は、取付部材２５がベース部材７０等に連結される場合に比べて、埋込孔ＨＬをベース部材７０のサイズ（外径）に合わせることができ、意匠性を向上させることができる。
【００７１】
また、照明装置４において、光源部３０の発光素子３１１が出射した光は、枠体１０、レンズ部９０、及びベース部材７０内を通り、照明装置４外へ放射される。具体的には、発光素子３１１が出射した光や枠体１０の反射面１３により反射された光は、レンズ部９０のレンズ９１により配光制御され、ベース部材７０内に配置されたレンズホルダ８０内を通り、カバー部７５の開口部７５１から照明装置４外へ放射される。
【００７２】
図１８に示すように、照明装置４は、ダウンライトであり、カバー部７５の開口部７５１の径は、レンズホルダ８０の内径と略同程度に形成される。そのため、照明装置４は、照射範囲ＡＲ２１に示すように、照明装置４が設置された天井ＣＬの直下を照射するように配光制御される。
【００７３】
ここで、例えば、照明装置４と同様のダウンライトである従来の照明装置においては、レンズホルダ（配光部材）の内周面は鏡面、すなわち光を反射する。したがって、従来の照明装置においては、レンズホルダの内周面は鏡のように内部を写す。そのため、従来の照明装置の照明範囲外からユーザが照明装置を見た場合、ユーザには従来の照明装置の内部の構造が視認される。このように、従来の照明装置の照明範囲外、例えば斜め方向等から照明装置を見たユーザには、レンズホルダの内周面に写った照明装置の内部構造が視認される。
【００７４】
一方で、照明装置４は、レンズホルダ８０の内周面に着色部８３が設けられている。そのため、照明装置４においては、レンズホルダ８０の内周面に設けられた着色部８３が所定の色の光を反射する。例えば、着色部８３が赤色である場合、照明装置４においては、レンズホルダ８０の着色部８３は赤色に対応する波長（例えば６２０−７５０ｎｍ等）の光を反射する。したがって、照明装置４の照明範囲ＡＲ２１外からユーザが照明装置４を見た場合、ユーザにはレンズホルダ８０の着色部８３により反射された赤色の光が認識される。図１８の例では、ユーザが視点ＶＰ２１から照明装置４を見た場合、ユーザには、レンズホルダ８０の着色部８３により反射された赤色の光が認識される。例えば、光源部３０から白色の光が出射され、ユーザが視点ＶＰ２１から照明装置１を見た場合、ユーザには、レンズホルダ８０の着色部８３により反射された赤色の光に光源部３０から出射された白色の光が混ざった色（例えばピンク色）が認識される。
【００７５】
このように、照明装置４は、レンズホルダ８０の内周面に設けられた着色部８３が所定の光を反射するため、照明装置４の照明範囲ＡＲ２１外に位置するユーザに、所望の光を視認させることができる。すなわち、照明装置４は、照明範囲ＡＲ２１には、光源部３０から出射される色（例えば白色光）を放射し、照明範囲ＡＲ２１外に位置するユーザには、所望の光が視認させるように、照明装置４外に光を放射する。これにより、照明範囲ＡＲ２１内に位置するユーザは、照明範囲ＡＲ２１を照射する光（例えば白色光）を視認し、照明範囲ＡＲ２１外に位置するユーザは、着色部８３により反射された所望の光を視認する。したがって、照明装置４は、照明装置４に対する位置に応じてユーザが認識する色を変更可能にすることができる。例えば、照明装置４は、視点ＶＰ２１等のユーザが照明装置４を視認する位置に応じて、ユーザが認識する色を変更可能にすることができる。また、照明装置４は、ユーザが照明範囲ＡＲ２１外から照明装置４を見た場合、ユーザに照明装置４の内部構造を視認されることを抑制することができる。
【００７６】
なお、ダウンライトである照明装置４は、光源部３０からレンズ部９０を通ってカバー部７５の開口部７５１から照明装置４外へ放射される直接光と、レンズホルダ８０により反射された光とを利用する。このように、照明装置４は、照明装置１に比べてレンズホルダ８０により反射された光を多く利用する。例えば、照明装置４は、照明装置１に比べてレンズホルダ８０により反射された光を利用する割合が多い。
【００７７】
また、図１８に示すように第２の実施形態に係るカバー部７５の開口部７５１は、図２に示す第１の実施形態に係るカバー部４５の開口部４５１よりも大径に形成される。この場合、ベース部材７０を用いた照明装置４の方が、ベース部材４０を用いた照明装置１よりも、光源部３０の発光素子３１１が直接視認されること等によるグレアを生じやすい。そのため、第２の実施形態に係るベース部材７０は、第１の実施形態に係るベース部材４０よりも軸方向に長く形成される。すなわち、ベース部材７０の軸方向の高さは、ベース部材４０の軸方向の高さよりも高く形成される。
【００７８】
これにより、照明装置４における光源部３０の発光素子３１１からカバー部７５の開口部７５１までの距離（第１長さ）が、照明装置１における光源部３０の発光素子３１１からカバー部４５の開口部４５１までの距離（第２長さ）よりも長くする。そのため、照明装置４は、光源部３０の発光素子３１１からカバー部７５の開口部７５１までの距離が第２長さである場合に比べて、開口部７５１から光源部３０が直接視認される範囲を狭くすることができる。すなわち、照明装置４は、照明装置１に比べて遮光角を大きくすることができる。これにより、照明装置４は、グレアを抑制することができる。
【００７９】
（変形例）
また、照明装置１や照明装置４は、光源部３０（発光素子３１１）が出射する光のばらつきに対応するために、種々の構成を採用してもよい。この点について、以下説明する。
【００８０】
例えば、現在のＬＥＤ（発光素子）は、製造ばらつきが大きく、色温度（色度）にばらつきがあるため、器具（照明装置）の色温度を合わせ込むために、ＬＥＤの色温度を選別したり、限定した複数ランクのＬＥＤを用いたりしている。また、限定した複数ランクのＬＥＤは、ランクを指定して購入できない場合や、ランクを指定してもばらつきがある場合がある。このようなＬＥＤの実装時においては、例えばＬＥＤの色温度に基づく対角実装を行い、ばらつきの範囲を狭める等の対策を行った場合、コストや工数が増大する。
【００８１】
そのため、照明装置１や照明装置４では、光源部３０が出射する光の色温度（色度）のばらつきに応じて、レンズ部６０、９０等の部材を着色することにより、照明装置１や照明装置４が放射する光を所望の色温度に合わせ込んでもよい。
【００８２】
例えば、照明装置１や照明装置４では、光源部３０が出射する光の色温度（色度）のばらつきに応じて、光学部材を着色することにより、照明装置１や照明装置４が放射する光を所望の色温度に合わせ込んでもよい。例えば、照明装置１や照明装置４では、光源部３０が出射する光の色温度（色度）のばらつきに応じて、レンズ６１、９１を着色することにより、照明装置１や照明装置４が放射する光を所望の色温度に合わせ込んでもよい。
【００８３】
また、例えば、照明装置１や照明装置４では、光源部３０が出射する光の色温度（色度）のばらつきに応じて、光学部材を保護する部材を着色することにより、照明装置１や照明装置４が放射する光を所望の色温度に合わせ込んでもよい。例えば、照明装置１や照明装置４では、光源部３０が出射する光の色温度（色度）のばらつきに応じて、レンズシェード６２、９２を着色することにより、照明装置１や照明装置４が放射する光を所望の色温度に合わせ込んでもよい。なお、上記は一例であり、照明装置１や照明装置４における他の部材を着色することにより、照明装置１や照明装置４が放射する光を所望の色温度に合わせ込んでもよい。
【００８４】
また、上述したように、第１の実施形態におけるベース部材４０や第２の実施形態におけるベース部材７０のように、軸方向の高さの異なる配光用部材であっても、照明用ユニット２は、簡単に交換可能となる。このように、照明用ユニット２は、スポットライト（ピンホールライト）やダウンライト等の種々のタイプの照明装置の構成としても用いることができる。
【００８５】
また、第１の実施形態及び第２の実施形態においては、光源は、ＬＥＤに限定されるものではなく、例えば、クリプトン球等の他の光源であってもよい。また、照明用ユニットが利用される照明装置は、上述のようなスポットライト（ピンホールライト）やダウンライトに限らず、種々のタイプの照明装置であってもよい。
【符号の説明】
【００８６】
１  照明装置，２  照明用ユニット，１０  枠体，１１  基部，１２  係止部，１２１  載置部，１３  反射面，１４  回転規制部，１４０  挿通孔，２０  ヒートシンク，２５  取付部材，３０  光源部（光源），３  配光用ユニット，４０  ベース部材，４１  切欠き溝，４１１  底部，４１２  延伸部，４５  カバー部，５０  レンズホルダ（配光部材），５３  着色部，６０  レンズ部，４  照明装置，５  配光用ユニット，７０  ベース部材，７１  切欠き溝，７１１  底部，７１２  延伸部，７５  カバー部，８０  レンズホルダ（配光部材），８３  着色部，９０  レンズ部
【図１】
2019067605.tif 000003
【図２】
2019067605.tif 000004
【図３】
2019067605.tif 000005
【図４】
2019067605.tif 000006
【図５】
2019067605.tif 000007
【図６】
2019067605.tif 000008
【図７】
2019067605.tif 000009
【図８】
2019067605.tif 000010
【図９】
2019067605.tif 000011
【図１０】
2019067605.tif 000012
【図１１】
2019067605.tif 000013
【図１２】
2019067605.tif 000014
【図１３】
2019067605.tif 000015
【図１４】
2019067605.tif 000016
【図１５】
2019067605.tif 000017
【図１６】
2019067605.tif 000018
【図１７】
2019067605.tif 000019
【図１８】
2019067605.tif 000020